(57)【特許請求の範囲】
【請求項１】
開口装置を織機主軸の回転に同期してモータにより駆動する型式において、開口枠の開口運動位相とモータ位相とを位相合わせする際に、まずモータを回転させて開口装置を動作させ、開口枠の変位を監視して、開口枠の開口運動位相中でモータの回転量に対する開口枠の変位量が最大になる位置に開口枠を移動させ、その位置におけるモータの位相を原点位相として記憶することを特徴とする織機の開口装置の初期位相合わせ方法。
【発明の詳細な説明】
【０００１】
【発明の技術分野】
本発明は、織機の開口装置をモータにより駆動する型式において、開口装置の開口枠の開口運動位相とモータの位相とを位相合わせする方法に関する。
【０００２】
【従来の技術】
織機の開口装置を織機主軸の回転に同期して専用のモータにより独立して駆動制御する場合で、モータの原点位相と開口装置の開口運動の原点とが一致していないとき、織機運転前に前もって、開口装置の開口枠の動作位置に対するモータの絶対位値としてモータの原点位置からの回転角、いわゆる原点位相をコントローラ側に記憶する必要がある。なお、この一連の作業を以下、初期位相合わせと称する。
【０００３】
特開平４−３０８２４３号公報は、綜絖枠（開口枠）の制御ストロークを設定するとき、その開口枠が制御ストロークの上限位置および下限位置に到達したとき操作されるスイッチを備え、開口枠が下限位置に到達したとき、初期位相合わせすることを開示している。
【０００４】
【従来技術の課題】
上記技術によると、下限位置では、モータの回転量に対する開口枠の変位量が小さいため、正確な下限位置でモータを停止できず、位相合わせの精度が得られなかった。
【０００５】
【発明の目的】
したがって、本発明の目的は、制御対象としての織機の開口装置の開口運動位相とモータの位相との位相合わせに際し、位相合わせの精度を向上させ、さらに必要に応じて一連の動作を自動化できるようにすることである。
【０００６】
【発明の解決手段】
上記目的のもとに、本発明の初期位相合わせ方法は、開口装置を織機主軸の回転に同期してモータにより駆動する型式において、開口枠の開口運動位相とモータ位相とを位相合わせする際に、まずモータを回転させて開口装置を動作させ、開口枠の変位を監視して、開口枠の開口運動位相中でモータの回転量に対する開口枠の変位量が最大になる位置に開口枠を移動させ、その位置におけるモータの位相を原点位相として記憶するという手段を講じている。
【０００７】
なお、モータの回転運動は、必要な運動に変換する機構、例えばカム機構、偏心歯車機構、４節リンクとカムとの組み合わせ機構、差動歯車機構、円筒カムとヘリカルギヤとの組み合わせ機構などにより構成される。
【０００８】
【実施例】
図１は、織機の開口装置として、電子開口装置１に本発明の初期位相合わせ方法を適用する例を示している。電子開口装置１は、複数の開口枠２を上下運動可能な状態で具備しており、これらの開口枠２は、それぞれ専用のモータ３により駆動されるようになっている。すなわち、モータ３の出力軸３ａの回転は、クランク５、連結ロッド６、ベルクランク８、連結ロッド７を介して開口枠２に上下方向の往復運動として伝達される。
【０００９】
ここで、前記ベルクランク機構で開口枠２を駆動する時の主軸の回転角Θに対するモータ３の回転角θおよび開口枠２の変位量Ｌの関係を図２に示す。織機の主軸２の回転に対してモータ３が１回転し、開口運動（上→下）が１サイクル実行される。したがって、モータ３の回転角θに対する開口枠２の変位Ｌは、モータ３の回転角０（３６０）度で最小値の正弦波となっている。ここで、モータ３の微小な回転量Δθに対する開口枠２の変位量ΔＬが最大になる位置、つまりΔＬ／Δθが最大の位置は、いわゆるクロスポイントであり、開口量の中間（１／２）ポイントである。
【００１０】
そして、上記モータ３は、開口コントローラ４によって制御されるようになっている。開口コントローラ４は、開口制御のほか初期位相合わせ制御を実行するＣＰＵ９、開口制御のプログラムや位相合わせのプログラムを記憶するＲＯＭ１０、制御データその他の必要な各種データを記憶するＲＡＭ１１、開口制御のデータに基づいてモータ３を駆動するための位置コントローラ１２および駆動増幅器１３、位置センサ２５から開口枠２の変位Ｌのデータを取り込むインターフェース１４、モータ３の回転角θの信号を回転検出器１８から取り込むインターフェース１５、スイッチ２１の操作による初期位相合わせ指令を取り込むインターフェース１６、主軸２０のクランク角の信号を回転検出器１９から取り込むためのインターフェース１７などによって組み立てられている。
【００１１】
位置センサ２５は、例えば光学式、超音波式、近接センサ等の変位センサや、マグネスケール、差動トランスなどの検出手段によって構成されており、開口枠２の開口変位と対応する位置に取り付けられ、開口枠２の変位Ｌに対応した大きさの信号として、増幅器２２に送り込む。最大・最小値の計算器２３は、増幅器２２の出力レベルの変化から最大値・最小値を計算し、また検出器２４は、計算器２３の出力または増幅器２２の出力から開口量の１／２ポイントを検出し、その信号をインターフェース１４を経てＣＰＵ９に送り込むようになっている。
【００１２】
次に、図３は、本発明の織機の開口装置の初期位相合わせ方法にもとづいて、自動で初期位相合わせを行うときの順序を示している。オペレータがスイッチ２１を操作して、初期位相合わせ指令をＣＰＵ９に与えると、ＣＰＵ９は、初期位相合わせのプログラムを実行し、モータ３を低速で正回転させ、開口枠２を上または下方向に移動させると、位置センサ２５は、開口枠２の変位Ｌに対応した信号を出力して計算器２３および検出器２４に出力する。計算器２３は、この出力信号から変位Ｌの最大値、最小値とを求め、この最大値、最小値からこの中間点である１／２ポイントの変位に対応する出力を計算して検出器２４に出力する。検出器２４は、この出力と位置センサ２５からの信号とに基づき開口枠２の変位が１／２ポイントの変位になったとき、１／２ポイントに達した旨の信号をインターフェース１４に出力する。
【００１３】
そして、インターフェース１４は、１／２ポイントに対応する信号を入力した時点で、１／２ポイントに対応する出力をＣＰＵ９に与える。このため、ＣＰＵ９は１／２ポイントの信号を入力した時点で、それに対応するモータ３の回転角θをＲＡＭ１１の所定の記憶エリアに記憶させてから、モータ３の低速回転を停止させる。これによって、開口枠２の変位Ｌ（位相）に対するモータ３の初期位相合わせを完了する。
【００１４】
これまで述べた実施例に代え、開口枠２の変位量が最大になる位置について変位量を逐次微分し、この微分値が最大になる位置としてもよい。この場合には、計算器２３は、初期位相合わせが始まると、開口枠２を１サイクル駆動する間に開口枠２の位置信号を所定時間、あるいはモータ回転量に対して微分して、微分値が最大になる位置を検出器２４に出力し、検出器２４は、その微分値が最大になる位置を検出したら、これに対応する出力をＣＰＵ９に与えることで、初期位相合わせが実行される。そうすれば、開口枠２の変位量が最大になるモータ位相が不明の場合でも、これを直接検出できるから、より正確に初期位相合わせを実行できる。
【００１５】
なお、手動で行う場合には、開口コントローラ４に図示しないモータ低速回転スイッチおよび原点設定スイッチが接続され、手動でモータ３を低速回転させ、モータ３の回転量Δθに対する開口枠２の変位量ΔＬが最大になる位置で、モータ３を停止させ、ＣＰＵ９に原点設定用の指令を与え、そのときのモータ３の回転角θをＲＡＭ１１に記憶させる。この場合、予め変位量ΔＬが最大になる位置が求められていれば、この位置に検出体を設け、その検出体をセンサで検出することで代用してもよい。この検出体は、開口枠２の任意の位置に取り付ければよい。また、スケールで開口枠２の変位を監視し、その位置でモータ３を停止させるようにしてもよい。例えば、モータ３の回転量Δθに対するスライダクランク機構の変位量ΔＬが最大になる位置は、スライダ（開口枠２）の行程の中間点である。したがって、スケールで監視しながら、変位の上限位置と下限位置との中間位置でモータ３を停止させればよい。
【００１６】
このようにして、初期の位相合わせが完了する。一方で開口コントローラ４には、主軸の回転角Θに対応した開口枠２の運動量、すなわち開口曲線が図示しない設定器によって予め設定されている。そしてＣＰＵ９は、設定開口曲線から主軸の回転角Θに対応するモータの回転量を演算し、制御データの一部としてＲＡＭ１１に記憶して、織機は運転可能になる。その後、織機は運転され、主軸２０に連結した回転量検出器１９からの回転量信号が開口コントローラ４に入力されると、この位相合わせした開口コントローラ４は、予め設定された開口制御のデータに基づいて、さらには回転量検出器１８からの実測したモータ３の回転量信号をフィードバック入力して、主軸２０の回転と同期した状態でモータ３を駆動する。このようにして、開口枠２を所定の開口パターン（回転角度に対する開口量）により駆動していく。
【００１７】
【発明の効果】
本発明では、開口装置の開口枠の開口運動位相中で、モータの回転量に対する開口枠の変位量が最大になる位置で位相合わせが行われるから、位相合わせの精度が向上する。さらに、一連の動作を自動化することで、位相合わせ作業の省力化が達成できる。
【図面の簡単な説明】
【図１】織機の開口装置として、モータ駆動式の開口装置のブロック線図である。
【図２】モータの回転角に対するモータの回転変位および開口枠の変位のグラフである。
【図３】初期位相合わせのフローチャート図である。
【符号の説明】
１  電子開口装置
２  開口枠
３  モータ
４  開口コントローラ
５  クランク
６  連結ロッド
７  連結ロッド
８  ベルクランク
９  ＣＰＵ
１０  ＲＯＭ
１１  ＲＡＭ
１２  位置コントローラ
１３  駆動増幅器
１４  インターフェース
１５  インターフェース
１６  インターフェース
１７  インターフェース
１８  回転検出器
１９  回転検出器
２０  主軸
２１  スイッチ
２２  増幅器
２３  計算器
２４  検出器
２５  位置センサ
【図１】
0003693267.tif 000002
【図２】
0003693267.tif 000003
【図３】
0003693267.tif 000004